(57)【要約】【課題】制御対象機器を遠隔操作する際に、赤外線信号を用いた操作が可能であるか否かを判断できる携帯端末装置を提供する。【解決手段】携帯端末１０は、位置測定部１１が測定した端末位置と、録画装置３０の位置とに基づいて、録画装置３０との間で、赤外線通信が可能か否かを判定する。赤外線通信が可能であれば、赤外線通信部１４を用いて、録画装置３０に、赤外線信号を送信する。赤外線通信が不可であれば、無線通信部１２を用い、ネットワーク７０、ＰＣ２０、及び、ＬＡＮ８０を経由して、録画装置３０に録画予約を行う。【選択図】図１
2007221466.tif 000002
【特許請求の範囲】
【請求項１】
携帯端末装置を用いて、少なくとも赤外線信号によって遠隔操作可能な視聴装置又は録画装置の予約を行う予約システムであって、
前記携帯端末装置が、
端末の位置を測定する位置測定部と、
赤外線信号を送信する赤外線通信部と、
ネットワークに接続可能な無線通信部と、
所望の放送番組に関する番組情報と、少なくとも録画を含む予約種別とを含む予約情報を入力する予約入力部と、
前記視聴装置及び録画装置の位置情報を記憶する記憶部を参照し、前記位置測定部が測定した端末の位置と、前記視聴装置又は録画装置の位置とに基づいて、該視聴装置及び録画装置が、それぞれ前記赤外線通信部との間で赤外線通信可能な範囲内に存在するか否かを判定する赤外線通信可能判定部と、
前記赤外線通信可能判定部が赤外線通信可能範囲内と判定すると、前記赤外線通信部によって、前記視聴装置及び録画装置に、該視聴装置及び録画装置を制御するための赤外線信号をそれぞれ送信する機器操作部とを備えており、
前記機器操作部は、前記入力された予約種別が録画を示し、かつ、前記赤外線通信可能判定部により前記録画装置が赤外線通信可能範囲内に存在すると判定されると、前記録画装置に、前記予約情報に基づく録画予約をするための赤外線信号を送信することを特徴とする予約システム。
【請求項２】
前記録画装置は、前記ネットワークに接続され、該ネットワークを介して受信した信号により遠隔操作が可能であり、
前記機器操作部は、前記入力された予約種別が録画を示し、かつ、前記赤外線通信可能判定部により前記録画装置が赤外線通信可能範囲内に存在しないと判定されると、前記無線通信部により、前記ネットワークを介して前記録画装置を遠隔操作し、前記予約情報に基づく録画予約をする、請求項１に記載の予約システム。
【請求項３】
前記予約種別が、「視聴」及び「視聴又は録画」を更に含む、請求項２に記載の予約システム。
【請求項４】
前記携帯端末装置は、前記入力された予約種別が視聴を含むとき、前記番組情報が示す番組の放送開始時に、前記赤外線通信可能判定部及び機器操作部を活性化させるタイマスケジューラを更に備える、請求項３に記載の予約システム。
【請求項５】
前記機器操作部は、前記入力された予約種別が視聴を含み、かつ、前記番組情報が示す番組の放送開始時に、前記赤外線通信可能判定部によって前記視聴装置が赤外線通信可能範囲内に存在すると判定されると、前記視聴装置に、前記番組情報が示す放送番組を視聴するための赤外線信号を送信する、請求項４に記載の予約システム。
【請求項６】
前記機器操作部は、前記入力された予約種別が「視聴」であり、かつ、前記番組情報が示す番組の放送開始時に、前記赤外線通信可能判定部によって前記視聴装置が赤外線通信可能範囲内に存在しないと判定されると、アラームを発生する、請求項４に記載の予約システム。
【請求項７】
前記機器操作部は、前記入力された予約種別が「視聴又は録画」であり、かつ、前記番組情報が示す番組の放送開始時に、前記赤外線通信可能判定部によって前記視聴装置が赤外線通信可能範囲内に存在しないと判定されると、前記記憶部を参照し、前記端末位置と、前記視聴装置の位置とに基づいて、前記端末位置が前記視聴装置が設置された場所付近であるか否かを判断し、前記端末位置が前記視聴装置が設置された場所付近でないと判断すると、前記前記無線通信部によって、前記ネットワークを介して前記録画装置を遠隔操作し、前記予約情報に基づく録画予約をする、請求項４に記載の予約システム。
【請求項８】
前記機器操作部は、前記端末位置が前記視聴装置が設置された場所付近であると判断すると、アラームを発生する、請求項７に記載の予約システム。
【請求項９】
前記予約入力部が、音声認識機能を有する、請求項１〜８の何れか一に記載の予約システム。
【請求項１０】
端末の位置を測定する位置測定部と、赤外線信号を送信可能な赤外線通信部と、ネットワークに接続可能な無線通信部とを備えた携帯端末装置を用いて、少なくとも赤外線信号によって遠隔操作可能な視聴装置又は録画装置の予約を行う方法であって、
前記携帯端末装置に、所望の放送番組に関する番組情報と、少なくとも録画を含む予約種別とを含む予約情報を入力するステップと、
前記携帯端末装置が、前記入力された予約種別が録画のとき、前記録画装置の位置情報を記憶する記憶部を参照し、前記位置測定部が測定した端末の位置と、前記録画装置の位置とに基づいて、該録画装置が、前記赤外線通信部との間で赤外線通信可能な範囲内に存在するか否かを判定するステップと、
前記携帯端末装置が、前記録画装置が赤外線通信可能範囲内と判定すると、前記赤外線通信部によって、前記録画装置に、前記予約情報に基づく録画予約をするための赤外線信号を送信するステップとを有することを特徴とする方法。
【請求項１１】
前記録画装置が前記ネットワークに接続され、ネットワークを介して受信した信号に基づいて遠隔操作可能であり、
前記携帯端末装置が、前記録画装置が赤外線通信可能範囲内と判定すると、前記無線通信部により、前記ネットワークを介して前記録画装置を遠隔操作し、前記予約情報に基づく録画予約をするステップを更に有する、請求項１０に記載の方法。
【請求項１２】
前記予約種別が、「視聴」及び「視聴又は録画」を更に含む、請求項１１に記載の方法。
【請求項１３】
前記携帯端末装置が、前記入力された予約種別が視聴を含むとき、前記番組情報が示す番組の放送開始時に、前記視聴装置の位置情報を記憶する記憶部を参照して、前記視聴装置が、前記赤外線通信部との間で赤外線通信可能な範囲内に存在するか否かを判定するステップを更に有する、請求項１２に記載の方法。
【請求項１４】
前記携帯端末装置が、前記入力された予約種別が視聴を含み、かつ、前記番組情報が示す番組の放送開始時に、前記視聴装置が赤外線通信可能範囲内であると判定すると、前記視聴装置に、前記番組情報が示す放送番組を視聴するための赤外線信号を送信するステップを更に有する、請求項１３に記載の方法。
【請求項１５】
前記携帯端末装置が、前記入力された予約種別が「視聴」であり、かつ、前記番組情報が示す番組の放送開始時に、前記視聴装置が赤外線通信可能範囲外であると判定するとアラームを発生するステップを更に有する、請求項１３に記載の方法。
【請求項１６】
前記携帯端末装置が、前記入力された予約種別が「視聴又は録画」であり、かつ、前記番組情報が示す番組の放送開始時に、前記視聴装置が赤外線通信可能範囲外であると判定すると、前記録画装置の位置情報を記憶する記憶部を参照し、前記端末位置と、前記視聴装置の位置とに基づいて、前記端末位置が前記視聴装置が設置された場所付近であるか否かを判断するステップと、
前記携帯端末装置が、前記端末位置が前記視聴装置が設置された場所付近でないと判断すると、前記前記無線通信部によって、前記ネットワークを介して前記録画装置を遠隔操作し、前記予約情報に基づく録画予約をするステップとを更に有する、請求項１３に記載の方法。
【請求項１７】
前記携帯端末装置が、前記端末位置が前記視聴装置が設置された場所付近であると判断すると、アラームを発生するステップを更に有する、請求項１６に記載の方法。
【請求項１８】
前記携帯端末装置が、音声認識機能を用いて前記予約情報を入力する、請求項１０〜１７の何れか一に記載の方法。
【請求項１９】
端末の位置を測定する位置測定部と、赤外線信号を送信する赤外線通信部と、ネットワークに接続可能な無線通信部とを備えた携帯端末装置に、少なくとも赤外線信号によって遠隔操作可能な録画装置を遠隔操作する処理を実行させるプログラムであって、前記携帯端末装置に、
所望の放送番組に関する番組情報を含む予約情報を入力するステップと、
前記録画装置の位置情報を記憶する記憶部を参照し、前記位置測定部が測定した端末の位置と、前記録画装置の位置とに基づいて、前記録画装置が、前記赤外線通信部との間で赤外線通信可能な範囲内に存在するか否かを判定するステップと、
前記録画装置が赤外線通信可能範囲内と判定すると、前記赤外線通信部によって、前記録画装置に、前記予約情報に基づく録画予約をするための赤外線信号を送信するステップとを実行させることを特徴とするプログラム。
【請求項２０】
前記録画装置が前記ネットワークに接続され、ネットワークを介して受信した信号に基づいて遠隔操作可能であり、
前記携帯端末装置に、
前記録画装置が赤外線通信可能範囲外と判定すると、前記無線通信部により、前記ネットワークを介して前記録画装置を遠隔操作し、前記予約情報に基づく録画予約をするステップを更に実行させる、請求項１９に記載のプログラム。
【請求項２１】
端末の位置を測定する位置測定部と、赤外線信号を送信する赤外線通信部と、ネットワークに接続可能な無線通信部とを備えた携帯端末装置に、赤外線信号によって遠隔操作可能な視聴装置、及び、ネットワークを介して遠隔操作可能な録画装置を遠隔操作する処理を実行させるプログラムであって、前記携帯端末装置に、
所望の放送番組に関する番組情報を含む予約情報を入力するステップと、
前記番組情報が示す番組の放送開始時に、前記視聴装置の位置情報を記憶する記憶部を参照し、前記位置測定部が測定した端末の位置と、前記録画装置の位置とに基づいて、前記視聴装置が、前記赤外線通信部との間で赤外線通信可能な範囲内に存在するか否かを判定するステップと、
前記視聴装置が赤外線通信可能範囲内と判定すると、前記赤外線通信部によって、前記視聴装置に、前記番組情報が示す番組を表示させるための赤外線信号を送信するステップとを実行させることを特徴とするプログラム。
【請求項２２】
前記視聴装置が赤外線通信可能範囲外と判定すると、前記携帯端末装置に、アラームを発生する処理を更に実行させる、請求項２１に記載のプログラム。
【請求項２３】
前記視聴装置が赤外線通信可能範囲外と判定すると、前記携帯端末装置に、前記無線通信部により、前記ネットワークを介して前記録画装置を遠隔操作し、前記予約情報に基づく録画予約をするステップを更に実行させる、請求項２１に記載のプログラム。
【請求項２４】
前記視聴装置が赤外線通信可能範囲外と判定すると、前記携帯端末装置に、
前記視聴装置の位置情報を記憶する記憶部を参照し、前記端末位置と、前記視聴装置の位置とに基づいて、前記端末位置が前記視聴装置が設置された場所付近であるか否かを判断するステップと、
前記端末位置が前記視聴装置が設置された場所付近でないと判断すると、前記無線通信部により、前記ネットワークを介して前記録画装置を遠隔操作し、前記予約情報に基づく録画予約をするステップを更に実行させる、請求項２１に記載のプログラム。
【請求項２５】
前記端末位置が前記視聴装置が設置された場所付近であると判断すると、前記携帯端末装置にアラームを発生する処理を更に実行させる、請求項２４に記載のプログラム。
【請求項２６】
端末の位置を測定する位置測定部と、赤外線信号を送信可能な赤外線通信部と、ネットワークに接続可能な無線通信部とを備えた携帯端末装置において、
少なくとも赤外線信号によって遠隔操作可能な操作対象機器の位置情報を記憶する記憶部を参照し、前記位置測定部が測定した端末の位置と、前記操作対象機器の位置とに基づいて、前記操作対象機器が、前記赤外線通信部との間で赤外線通信可能な範囲内に存在するか否かを判定する赤外線通信可能判定部と、
前記赤外線通信可能判定部が赤外線通信可能範囲内と判定すると、前記赤外線通信部によって、前記操作対象機器に、該操作対象機器を制御するための赤外線信号を送信する機器操作部とを備えたことを特徴とする携帯端末装置。
【請求項２７】
前記操作対象機器がネットワークに接続され、ネットワークを介して受信した信号に基づいて遠隔操作可能であり、前記機器操作部は、前記赤外線通信可能判定部が赤外線通信可能範囲外と判定すると、前記無線通信部により、前記ネットワークを介して、前記操作対象機器に、該操作対象機器を制御するための信号を送信する、請求項２６に記載の携帯端末装置。
【請求項２８】
少なくとも予約時刻を含む予約情報を入力する予約入力部を更に備え、前記赤外線通信可能判定部は、前記予約時刻になると、前記操作対象機器が、前記赤外線通信部との間で赤外線通信可能な範囲内に存在するか否かを判定する、請求項２６又は２７に記載の携帯端末装置。
【請求項２９】
前記予約入力部が、音声認識機能を有する、請求項２８に記載の携帯端末装置。
【請求項３０】
端末の位置を測定する位置測定部と、赤外線信号を送信可能な赤外線通信部と、ネットワークに接続可能な無線通信部とを備えた携帯端末装置に、少なくとも赤外線信号によって遠隔操作可能な操作対象機器を遠隔操作する処理を実行させるプログラムであって、前記携帯端末装置に、
前記操作対象機器の位置情報を記憶する記憶部を参照し、前記位置測定部が測定した端末の位置と、前記操作対象機器の位置とに基づいて、前記操作対象機器が、前記赤外線通信部との間で赤外線通信可能な範囲内に存在するか否かを判定するステップと、
前記赤外線通信可能判定ステップで、赤外線通信可能範囲内と判定すると、前記赤外線通信部によって、前記操作対象機器に、該操作対象機器を制御するための赤外線信号を送信するステップとを実行させることを特徴とするプログラム。
【請求項３１】
前記操作対象機器がネットワークに接続され、ネットワークを介して受信した信号に基づいて遠隔操作可能であり、
前記赤外線通信可能判定ステップで、赤外線通信可能範囲外と判定すると、前記端末装置に、前記無線通信部により、前記ネットワークを介して、前記操作対象機器に、該操作対象機器を制御するための信号を送信するステップを更に実行させる、請求項３０に記載のプログラム。
【請求項３２】
前記携帯端末装置に、少なくとも予約時刻を含む予約情報を入力するステップを更に実行させ、前記赤外線通信可能判定ステップを、前記予約時刻に実行する、請求項３０又は３１に記載のプログラム。
【発明の詳細な説明】
【技術分野】
【０００１】
本発明は、予約システム、方法、プログラム、及び、携帯端末装置に関し、更に詳しくは、赤外線信号を送信可能な赤外線通信部を備えた携帯端末装置、及び、そのような携帯端末装置を用いた予約システム、方法、及び、プログラムに関する。
【背景技術】
【０００２】
近年、携帯電話機の多機能化が進んでおり、赤外線を用いて通信を行う赤外線通信部を備える携帯電話機も珍しくなくなってきている。そのような携帯電話機では、赤外線通信部を用いて、携帯電話機同士でデータの送受信を行えるほか、赤外線リモコンアプリケーションを用いることにより、携帯電話機を、テレビやビデオ、ＤＶＤレコーダなどの家電機器を操作するリモコンとして使用することができる。一方で、ＬＡＮインターフェースを備えた家電製品も出現しており、例えば録画装置を、家庭内のＰＣとネットワーク接続してホームサーバを構築することも行われている。ネットワーク接続可能な録画装置には、外出先のＰＣや携帯電話機から電子メールを送信することで、遠隔操作が可能なものもある。
【０００３】
ここで、携帯電話機を用いて家庭内の機器を制御する技術としては、特許文献１に記載された技術がある。特許文献１では、自宅内の被制御機器と、被制御機器を制御するコントロールユニットと、ＧＰＳ機能及びデータ通信機能を有する携帯電話機とを用いる。被制御装置としては、ドアや窓等の施錠を行う施錠装置、エアコン等の起動／停止装置、侵入警報装置の起動／停止装置が挙げられている。コントロールユニットは、基準位置と、携帯電話機から受信したユーザの現在位置とから、自宅とユーザとの間の距離を計測し、距離があらかじめ定められた距離を超えると、被制御機器に対して所定の制御を行う。
【０００４】
【特許文献１】特開２００５−２４４５２８号公報（段落００２０〜００２９）
【発明の開示】
【発明が解決しようとする課題】
【０００５】
例えば、携帯電話機を用いて録画装置の予約をしようとする場合について考える。この場合、携帯電話機の赤外線通信部からは、ユーザ操作に基づく赤外線信号が送信されるのみであるから、ユーザは、録画装置との間で通信可能な場所で、携帯電話機を操作する必要がある。このとき、赤外線信号による遠隔操作は、通常、一方向通信であり、携帯電話機側で、録画装置に正しく赤外線信号が到達したか否かを判断することはできない。仮に、録画装置の予約に失敗した場合には、ユーザは、赤外線信号による録画予約をあきらめて、別途、電子メールなどを用いた録画予約の操作をすることになる。
【０００６】
また、見たい放送番組がある場合であって、その放送番組の時間に家にいるのであればその番組を視聴し、家にいないのであれば録画したい場合について考える。この場合、家にいるか否かは、その時間になってみないとわからないことも多く、多くの場合、とりあえず録画予約をしておいて、視聴可能であれば、録画予約を解除するといったことが行われる。しかし、特に、家にいる可能性が高い場合には、後で解除することになるとは思いつつ録画予約することになり、面倒であるという問題がある。一度の操作で、家にいるときにはテレビを視聴でき、家にないにときには録画できれば便利であるが、そのような装置は知られていなかった。
【０００７】
本発明は、上記従来技術の問題点を解消し、制御対象機器を遠隔操作する際に、赤外線信号を用いた操作が可能であるか否かを判断できる携帯端末装置、及び、プログラムを提供する。
【０００８】
また、本発明は、一度の操作で、条件に応じて複数の制御対象機器を遠隔操作できる予約システム、方法、及び、プログラムを提供する。
【課題を解決するための手段】
【０００９】
上記目的を達成するために、本発明の予約システムは、携帯端末装置を用いて、少なくとも赤外線信号によって遠隔操作可能な視聴装置又は録画装置の予約を行う予約システムであって、前記携帯端末装置が、端末の位置を測定する位置測定部と、赤外線信号を送信する赤外線通信部と、ネットワークに接続可能な無線通信部と、所望の放送番組に関する番組情報と、少なくとも録画を含む予約種別とを含む予約情報を入力する予約入力部と、前記視聴装置及び録画装置の位置情報を記憶する記憶部を参照し、前記位置測定部が測定した端末の位置と、前記視聴装置又は録画装置の位置とに基づいて、該視聴装置及び録画装置が、それぞれ前記赤外線通信部との間で赤外線通信可能な範囲内に存在するか否かを判定する赤外線通信可能判定部と、前記赤外線通信可能判定部が赤外線通信可能範囲内と判定すると、前記赤外線通信部によって、前記視聴装置及び録画装置に、該視聴装置及び録画装置を制御するための赤外線信号をそれぞれ送信する機器操作部とを備えており、前記機器操作部は、前記入力された予約種別が録画を示し、かつ、前記赤外線通信可能判定部により前記録画装置が赤外線通信可能範囲内に存在すると判定されると、前記録画装置に、前記予約情報に基づく録画予約をするための赤外線信号を送信することを特徴とする。
【００１０】
本発明の予約方法は、端末の位置を測定する位置測定部と、赤外線信号を送信可能な赤外線通信部と、ネットワークに接続可能な無線通信部とを備えた携帯端末装置を用いて、少なくとも赤外線信号によって遠隔操作可能な視聴装置又は録画装置の予約を行う方法であって、前記携帯端末装置に、所望の放送番組に関する番組情報と、少なくとも録画を含む予約種別とを含む予約情報を入力するステップと、前記携帯端末装置が、前記入力された予約種別が録画のとき、前記録画装置の位置情報を記憶する記憶部を参照し、前記位置測定部が測定した端末の位置と、前記録画装置の位置とに基づいて、該録画装置が、前記赤外線通信部との間で赤外線通信可能な範囲内に存在するか否かを判定するステップと、前記携帯端末装置が、前記録画装置が赤外線通信可能範囲内と判定すると、前記赤外線通信部によって、前記録画装置に、前記予約情報に基づく録画予約をするための赤外線信号を送信するステップとを有することを特徴とする。
【００１１】
本発明の予約システム及び方法では、携帯端末装置は、録画装置に対して録画予約をする際に、録画装置が赤外線通信可能範囲内か否かを判定して、通信可能範囲内であれば、赤外線信号を送信する。このようにすることにより、録画装置と携帯端末装置との間の通信ミスを防ぐことができ、録画予約の確実性を上げることができる。
【００１２】
本発明の予約システム及び方法では、前記録画装置は、前記ネットワークに接続され、該ネットワークを介して受信した信号により遠隔操作が可能であり、前記入力された予約種別が録画を示し、かつ、前記赤外線通信可能判定部により前記録画装置が赤外線通信可能範囲内に存在しない場合には、前記無線通信部により、前記ネットワークを介して前記録画装置を遠隔操作し、前記予約情報に基づく録画予約をする構成を採用できる。録画装置との間で赤外線通信ができない場合には、自動的に、ネットワークを介して録画装置に対して録画予約をすることで、ユーザは、録画装置が赤外線通信可能範囲内にあるか否かを意識することなく、録画予約をできる。
【００１３】
本発明の予約システム及び方法では、前記予約種別が、「視聴」及び「視聴又は録画」を更に含む構成を採用できる。予約種別には、録画に加えて、放送番組を視聴する旨の「視聴」や、条件によって視聴又は録画を振り分ける「視聴又は録画」を含めることができる。
【００１４】
本発明の予約システムでは、前記携帯端末装置は、前記入力された予約種別が視聴を含むとき、前記番組情報が示す番組の放送開始時に、前記赤外線通信可能判定部及び機器操作部を活性化させるタイマスケジューラを更に備える構成を採用できる。また、本発明の予約方法では、前記携帯端末装置が、前記入力された予約種別が視聴を含むとき、前記番組情報が示す番組の放送開始時に、前記視聴装置の位置情報を記憶する記憶部を参照して、前記視聴装置が、前記赤外線通信部との間で赤外線通信可能な範囲内に存在するか否かを判定するステップを更に有する構成を採用できる。予約種別が視聴を含む場合には、放送開始時時点で、視聴装置との間で赤外線通信可能であるか否かを判定し、視聴装置に、赤外線信号を送信するか否かを決定すればよい。
【００１５】
本発明の予約システム及び方法では、前記入力された予約種別が視聴を含み、かつ、前記番組情報が示す番組の放送開始時に、前記視聴装置が赤外線通信可能範囲内に存在すると判定された場合に、前記視聴装置に、前記番組情報が示す放送番組を視聴するための赤外線信号を送信する構成を採用できる。このようにすることで、ユーザは、予約した放送番組を視聴できる。
【００１６】
本発明の予約システム及び方法では、前記入力された予約種別が「視聴」であり、かつ、前記番組情報が示す番組の放送開始時に、前記赤外線通信可能判定部によって前記視聴装置が赤外線通信可能範囲内に存在しないと判定された場合に、アラームを発生する構成を採用できる。この場合、アラーム通知により、ユーザに、予約した放送番組があったことを思い出させることができる。
【００１７】
本発明の予約システム及び方法では、前記入力された予約種別が「視聴又は録画」であり、かつ、前記番組情報が示す番組の放送開始時に、前記視聴装置が赤外線通信可能範囲内に存在しないと判定された場合に、記憶部を参照し、前記端末位置と、前記視聴装置の位置とに基づいて、前記端末位置が前記視聴装置が設置された場所付近であるか否かを判断し、前記端末位置が前記視聴装置が設置された場所付近でないと判断すると、前記前記無線通信部によって、前記ネットワークを介して前記録画装置を遠隔操作し、前記予約情報に基づく録画予約をする構成を採用できる。この場合、ユーザが視聴できない放送番組を、録画装置に対して自動的に録画予約することで、ユーザは、後で、その放送番組を視聴できる。
【００１８】
本発明の予約システム及び方法では、前記端末位置が前記視聴装置が設置された場所付近であると判断された場合に、アラームを発生する構成を採用できる。この場合、ユーザは、予約したい放送番組があったことを思い出して視聴装置の場所まで移動することにより、その放送番組を視聴できる。
【００１９】
本発明の予約システム及び方法では、予約入力を、音声認識機能を用いて行う構成を採用できる。この場合、予約の入力が簡易になる。
【００２０】
本発明の第１の視点のプログラムは、端末の位置を測定する位置測定部と、赤外線信号を送信する赤外線通信部と、ネットワークに接続可能な無線通信部とを備えた携帯端末装置に、少なくとも赤外線信号によって遠隔操作可能な録画装置を遠隔操作する処理を実行させるプログラムであって、前記携帯端末装置に、所望の放送番組に関する番組情報を含む予約情報を入力するステップと、前記録画装置の位置情報を記憶する記憶部を参照し、前記位置測定部が測定した端末の位置と、前記録画装置の位置とに基づいて、前記録画装置が、前記赤外線通信部との間で赤外線通信可能な範囲内に存在するか否かを判定するステップと、前記録画装置が赤外線通信可能範囲内と判定すると、前記赤外線通信部によって、前記録画装置に、前記予約情報に基づく録画予約をするための赤外線信号を送信するステップとを実行させることを特徴とする。
【００２１】
本発明のプログラムでは、録画装置に対して録画予約をする際に、録画装置が赤外線通信可能範囲内か否かを判定し、通信可能範囲内であれば、赤外線信号を送信する。このようにすることにより、録画装置と携帯端末装置との間の通信ミスを防ぐことができ、録画予約の確実性を上げることができる。
【００２２】
本発明の第１の視点のプログラムは、前記録画装置が前記ネットワークに接続され、ネットワークを介して受信した信号に基づいて遠隔操作可能であり、前記携帯端末装置に、前記録画装置が赤外線通信可能範囲外と判定すると、前記無線通信部により、前記ネットワークを介して前記録画装置を遠隔操作し、前記予約情報に基づく録画予約をするステップを更に実行させる構成を採用できる。録画装置との間で赤外線通信ができない場合には、自動的に、ネットワークを介して録画装置に対して録画予約をすることで、ユーザは、録画装置が赤外線通信可能範囲内にあるか否かを意識することなく、録画予約をできる。
【００２３】
本発明の第２の視点のプログラムは、端末の位置を測定する位置測定部と、赤外線信号を送信する赤外線通信部と、ネットワークに接続可能な無線通信部とを備えた携帯端末装置に、赤外線信号によって遠隔操作可能な視聴装置、及び、ネットワークを介して遠隔操作可能な録画装置を遠隔操作する処理を実行させるプログラムであって、前記携帯端末装置に、所望の放送番組に関する番組情報を含む予約情報を入力するステップと、前記番組情報が示す番組の放送開始時に、前記視聴装置の位置情報を記憶する記憶部を参照し、前記位置測定部が測定した端末の位置と、前記録画装置の位置とに基づいて、前記視聴装置が、前記赤外線通信部との間で赤外線通信可能な範囲内に存在するか否かを判定するステップと、前記視聴装置が赤外線通信可能範囲内と判定すると、前記赤外線通信部によって、前記視聴装置に、前記番組情報が示す番組を表示させるための赤外線信号を送信するステップとを実行させることを特徴とする。
【００２４】
本発明の第２のプログラムでは、予約された放送番組の放送開始時に、視聴装置が赤外線通信可能範囲内にあるか否かを判定し、赤外線信号を送信する。このようにすることで、視聴装置と携帯端末装置との間の通信ミスを防ぐことができ、ユーザは、予約された放送番組を視聴装置により視聴できる。
【００２５】
本発明の第２の視点の前記視聴装置が赤外線通信可能範囲外と判定すると、前記携帯端末装置に、アラームを発生する処理を更に実行させる構成を採用できる。この場合、アラーム通知により、ユーザに、予約した放送番組があったことを思い出させることができる。
【００２６】
本発明の第２の視点のプログラムでは、前記視聴装置が赤外線通信可能範囲外と判定すると、前記携帯端末装置に、前記無線通信部により、前記ネットワークを介して前記録画装置を遠隔操作し、前記予約情報に基づく録画予約をするステップを更に実行させる構成を採用できる。この場合、ユーザが視聴できない放送番組を、録画装置に対して自動的に録画予約することで、ユーザは、後で、その放送番組を視聴できる。
【００２７】
本発明の第２の視点のプログラムでは、前記視聴装置が赤外線通信可能範囲外と判定すると、前記携帯端末装置に、前記視聴装置の位置情報を記憶する記憶部を参照し、前記端末位置と、前記視聴装置の位置とに基づいて、前記端末位置が前記視聴装置が設置された場所付近であるか否かを判断するステップと、前記端末位置が前記視聴装置が設置された場所付近でないと判断すると、前記無線通信部により、前記ネットワークを介して前記録画装置を遠隔操作し、前記予約情報に基づく録画予約をするステップを更に実行させる構成を採用できる。また、前記端末位置が前記視聴装置が設置された場所付近であると判断すると、前記携帯端末装置にアラームを発生する処理を更に実行させる構成を採用できる。この場合、ユーザが視聴装置が設置された場所付近でないときには、録画装置に対して自動的に録画予約することで、ユーザは、後で、その放送番組を視聴できる。また、視聴装置が設置された場所付近である場合には、アラーム通知する。これにより、ユーザは、予約した放送番組があったことを思い出して、視聴装置の設置場所まで移動することにより、放送番組を視聴できる。
【００２８】
本発明の携帯端末装置は、端末の位置を測定する位置測定部と、赤外線信号を送信可能な赤外線通信部と、ネットワークに接続可能な無線通信部とを備えた携帯端末装置において、少なくとも赤外線信号によって遠隔操作可能な操作対象機器の位置情報を記憶する記憶部を参照し、前記位置測定部が測定した端末の位置と、前記操作対象機器の位置とに基づいて、前記操作対象機器が、前記赤外線通信部との間で赤外線通信可能な範囲内に存在するか否かを判定する赤外線通信可能判定部と、前記赤外線通信可能判定部が赤外線通信可能範囲内と判定すると、前記赤外線通信部によって、前記操作対象機器に、該操作対象機器を制御するための赤外線信号を送信する機器操作部とを備えたことを特徴とする。
【００２９】
本発明の携帯端末装置では、赤外線通信可能判定部によって、操作対象機器が赤外線通信可能範囲内にあると判定されると、その操作対象機器に、赤外線信号を送信する。このようにすることで、操作対象機器と携帯端末装置との間の通信ミスを防ぐことができ、機器制御の確実性を上げることができる。
【００３０】
本発明の携帯端末装置では、前記操作対象機器がネットワークに接続され、ネットワークを介して受信した信号に基づいて遠隔操作可能であり、前記機器操作部は、前記赤外線通信可能判定部が赤外線通信可能範囲外と判定すると、前記無線通信部により、前記ネットワークを介して、前記操作対象機器に、該操作対象機器を制御するための信号を送信する構成を採用できる。操作対象機器との間で赤外線通信ができない場合には、自動的に、ネットワークを介して操作対象機器に対して制御のための信号を送信することで、ユーザは、操作対象機器が赤外線通信可能範囲内にあるか否かを意識することなく、その操作対象機器を制御できる。
【００３１】
本発明の携帯端末装置は、少なくとも予約時刻を含む予約情報を入力する予約入力部を更に備え、前記赤外線通信可能判定部は、前記予約時刻になると、前記操作対象機器が、前記赤外線通信部との間で赤外線通信可能な範囲内に存在するか否かを判定する構成を採用できる。この場合、予約した時刻に、操作対象機器が赤外線通信可能範囲内であれば、赤外線を用いて操作対象機器を制御することができる。また、操作対象機器が赤外線通信可能範囲外で、かつ、操作対象機器がネットワークを介して遠隔操作可能であれば、ネットワーク経由で操作対象機器を制御できる。
【００３２】
本発明の携帯端末装置では、前記予約入力部が、音声認識機能を有する構成を採用できる。
【００３３】
本発明の第３の視点のプログラムは、端末の位置を測定する位置測定部と、赤外線信号を送信可能な赤外線通信部と、ネットワークに接続可能な無線通信部とを備えた携帯端末装置に、少なくとも赤外線信号によって遠隔操作可能な操作対象機器を遠隔操作する処理を実行させるプログラムであって、前記携帯端末装置に、前記操作対象機器の位置情報を記憶する記憶部を参照し、前記位置測定部が測定した端末の位置と、前記操作対象機器の位置とに基づいて、前記操作対象機器が、前記赤外線通信部との間で赤外線通信可能な範囲内に存在するか否かを判定するステップと、前記赤外線通信可能判定ステップで、赤外線通信可能範囲内と判定すると、前記赤外線通信部によって、前記操作対象機器に、該操作対象機器を制御するための赤外線信号を送信するステップとを実行させることを特徴とする。
【００３４】
本発明の第３の視点のプログラムでは、記操作対象機器がネットワークに接続され、ネットワークを介して受信した信号に基づいて遠隔操作可能であり、前記赤外線通信可能判定ステップで、赤外線通信可能範囲外と判定すると、前記端末装置に、前記無線通信部により、前記ネットワークを介して、前記操作対象機器に、該操作対象機器を制御するための信号を送信するステップを更に実行させる構成を採用できる。
【００３５】
本発明の第３の視点のプログラムでは、前記携帯端末装置に、少なくとも予約時刻を含む予約情報を入力するステップを更に実行させ、前記赤外線通信可能判定ステップを、前記予約時刻に実行する構成を採用できる。
【発明の効果】
【００３６】
本発明の予約システム、方法、及び、第１の視点のプログラムでは、録画装置に対して録画予約をする際に、録画装置が赤外線通信可能範囲内か否かを判定して、通信可能範囲内であれば、赤外線信号を送信する。このようにすることにより、録画装置と携帯端末装置との間の通信ミスを防ぐことができ、録画予約の確実性を上げることができる。また、本発明の第２の視点のプログラムでは、予約された放送番組の放送開始時に、視聴装置が赤外線通信可能範囲内にあるか否かを判定し、赤外線信号を送信する。このようにすることで、視聴装置と携帯端末装置との間の通信ミスを防ぐことができ、ユーザは、予約された放送番組を視聴装置により視聴できる。
【００３７】
本発明の携帯端末装置及び第３の視点のプログラムでは、赤外線通信可能判定部によって、操作対象機器が赤外線通信可能範囲内にあると判定されると、その操作対象機器に、赤外線信号を送信する。このようにすることで、操作対象機器と携帯端末装置との間の通信ミスを防ぐことができ、機器制御の確実性を上げることができる。
【発明を実施するための最良の形態】
【００３８】
以下、図面を参照し、本発明の実施の形態を詳細に説明する。図１は、本発明の一実施形態の携帯端末装置を含む放送予約システムの構成を示している。放送予約システム１００は、携帯端末１０と、ＰＣ２０と、録画装置３０と、視聴装置（テレビ）４０とを備える。携帯端末１０は、ユーザが、見たい放送を予約する際に使用される。放送の予約としては、テレビ４０を見たい放送の時間に起動するための予約と、録画装置３０により放送を録画するための予約との２つを考える。ＰＣ２０及びサーバ５０は、それぞれインターネット等のネットワーク７０に接続されている。携帯端末１０は、携帯電話会社等が提供するネットワーク接続サービス等により、ネットワーク７０に接続して、ＰＣ２０及びサーバ５０との間で通信可能である。
【００３９】
携帯端末１０は、位置測定部１１、無線通信部１２、ＵＩ（ユーザインタフェース）部１３、赤外線通信部１４、スケジュールタイマー機能１５、及び、実行制御部１６を備える。位置測定部１１は、ＧＰＳ６０を用いて、携帯端末１０の位置を測定する。無線通信部１２は、無線通信網を介してネットワーク７０に接続し、ＰＣ２０及びサーバ５０との間で通信を行う。ＵＩ部１３は、画面やキー入力部、音声認識を用いて、ユーザの操作を制御する。赤外線通信部１４は、赤外線信号の送受信を行う。スケジュールタイマー機能１５は、アプリケーションの自動起動を管理する。実行制御部１６は、例えばＪＡＶＡ（登録商標）アプリケーションを実行する。
【００４０】
録画装置３０及びテレビ４０は、それぞれ、赤外線を用いたリモコン信号を受信する赤外線受信部を有する。録画装置３０及びテレビ４０は、それぞれ、専用のリモコンから送信された赤外線信号（リモコン信号）、又は、携帯端末１０の赤外線通信部１４から送信された赤外線信号を用いて、電源のオンオフやチャンネルの変更などの操作が可能である。ＰＣ２０は、録画装置３０とＬＡＮ等のネットワーク８０で接続されている。録画装置３０は、赤外線信号を用いたリモコン操作のほか、ＬＡＮ８０を介して接続されたＰＣ２０からの制御信号によっても操作が可能である。サーバ５０は、テレビ番組等の情報を保持する。
【００４１】
図２は、実行制御部１６がアプリケーションを実行することにより実現される携帯端末１０の機能を示している。携帯端末１０には、実行制御部１６により、予約入力部１７と、赤外線通信可能判定部１８と、機器操作部１９とが実現される。予約入力部１７は、ＵＩ部１３に、ユーザに予約の入力を促す表示画面を表示させる。また、ＵＩ部１３から、予約したい番組の情報を入力する。赤外線通信可能判定部１８は、位置測定部１１が測定した位置と、記憶部９０に記憶された録画装置３０及びテレビ４０の位置とに基づいて、録画装置３０及びテレビ４０との間で、それぞれ赤外線通信部１４を用いた通信が可能か否かを判定する。機器操作部１９は、赤外線通信可能判定部１８が赤外通信可能と判定すると、赤外線通信部１４を用いて、録画装置３０及びテレビ４０を遠隔操作する。また、機器操作部１９は、赤外線通信可能ではないと判断されると、無線通信部１２を用いて、録画装置３０をネットワーク７０経由で遠隔操作する。
【００４２】
図３は、放送予約システム１００の動作手順をフローチャートで示している。ユーザは、携帯端末１０のＵＩ部１３を操作して、放送の予約のためのアプリケーションを起動する（ステップＳ１）。このアプリケーションは、実行制御部１６によって実行される。予約入力部１７（図２）は、ユーザに、視聴したいテレビ番組のキーワードの入力を求める。ユーザは、画面表示に従って、ＵＩ部１３から、視聴したいテレビ番組のキーワードを入力する（ステップＳ２）。
【００４３】
実行制御部１６は、無線通信部１２によってサーバ５０との間で通信を行い、ステップＳ２で入力されたキーワードをサーバ５０に通知する。サーバ５０は、テレビ番組のジャンルや出演者、放送開始時刻、チャンネルなどの情報を含む番組情報を記憶しており、ユーザによって入力されたキーワードに関連するテレビ番組情報を所定のアルゴリズムで抽出する。実行制御部１６は、サーバ５０が抽出したテレビ番組情報を受信する（ステップＳ３）。予約入力部１７は、受信したテレビ番組情報の一覧を、ＵＩ部１３に表示し（ステップＳ４）、予約したいテレビ番組、及び視聴方法（予約種別）の選択を、ユーザに要求する。
【００４４】
ユーザは、ＵＩ部１３を操作し、ステップＳ４で表示された番組一覧の中から、視聴したいテレビ番組を選択する（ステップＳ５）。また、視聴の方法を選択する（ステップＳ６）。ステップＳ６の視聴方法の選択では、ユーザは、例えば、
１）「録画予約」（即座に録画予約を実行する）
２）「テレビ視聴」（番組開始時間にテレビを視聴する）
３）「テレビ視聴又は録画」（番組開始時間に在宅の場合はテレビを視聴し、外出中の場合は録画する）
の何れかを選択する。
【００４５】
ユーザによって、視聴したいテレビ番組及びその視聴方法が選択されると、機器操作部１９は、視聴方法が、「録画予約」、「テレビ視聴」、又は、「テレビ視聴又は録画」の何れであるかを判断する（ステップＳ７）。視聴方法が「録画予約」である場合には、赤外線通信可能判定部１８は、位置測定部１１によって、携帯端末１０の位置を測定する（ステップＳ８）。記憶部９０（図２）は、録画装置３０の位置情報を記憶しており、赤外線通信可能判定部１８は、記憶部９０に記憶された録画装置３０の位置と、ステップＳ８で測定した携帯端末１０の位置とによって、録画装置３０との間で赤外線通信が可能であるか否かを判断する（ステップＳ９）。
【００４６】
ステップＳ９では、赤外線通信可能判定部１８は、例えば、録画装置３０の位置と携帯端末１０位置とから、両者間の距離を計算し、その計算した距離に基づいて、携帯端末１０が、録画装置３０との間で赤外線通信可能な範囲内に存在するか否かを判断する。機器操作部１９は、ステップＳ９で、赤外線通信が可能である判断されると、つまり、赤外線信号を用いた録画予約が可能であると判断すると、赤外線通信部１４から録画予約のための赤外線信号を送信する（ステップＳ１０）。録画装置３０は、受信した赤外線信号に従って、予約操作を実行する。
【００４７】
機器操作部１９は、ステップＳ９で、赤外線通信が可能ではないと判断されると、無線通信部１２によって、ネットワーク７０及びＰＣ２０を介して、録画装置３０に録画予約要求を送信する（ステップＳ１１）。携帯端末１０を用いて録画装置３０を遠隔操作する手法としては、これまでいくつかの手法が提案されており、ステップＳ１１では、それらの手法を用いて、録画予約を録画装置３０に送信することができる。例えば、携帯端末１０から録画予約を要求する電子メールをＰＣ２０に送信する。ＰＣ２０は、録画予約要求を受信すると、ＬＡＮ８０を介して録画装置３０を制御し、録画装置３０に、予約操作を実行させる。ステップＳ１０又はＳ１１で、録画予約が完了すると、実行制御部１６は、予約のためのアプリケーションを終了して処理を完了する。
【００４８】
実行制御部１６は、ステップＳ７で、視聴方法が「テレビ視聴」又は「テレビ視聴又は録画」であると判断すると、スケジュールタイマー機能１５に、テレビ視聴又は録画を実行するためのアプリケーションが、テレビ番組が開始する時刻に起動するように、アプリケーションの自動起動を登録する（ステップＳ１２）。その後、実行制御部１６は、予約のためのアプリケーションを終了する（ステップＳ１３）。
【００４９】
スケジュールタイマー機能１５は、ステップＳ１２で自動起動設定するように設定された時刻になると、実行制御部１６に、テレビ視聴又は録画のためのアプリケーションの起動を指示する（ステップＳ１４）。このアプリケーションが起動すると、赤外線通信可能判定部１８（図２）は、位置測定部１１によって、携帯端末１０の位置を測定する（ステップＳ１５）。記憶部９０は、テレビ４０の位置情報を記憶しており、赤外線通信可能判定部１８は、テレビ４０の位置と、ステップＳ１４で測定した携帯端末１０の位置とによって、テレビ４０との間で赤外線通信が可能か否かを判断する（ステップＳ１６）。
【００５０】
ステップＳ１６では、赤外線通信可能判定部１８は、例えば、テレビ４０の位置と携帯端末１０位置とから、両者間の距離を計算し、その計算した距離に基づいて、携帯端末１０が、テレビ４０との間で赤外線通信可能な範囲内に存在するか否かを判断する。機器操作部１９は、ステップＳ１６で、テレビ４０との間で赤外線通信が可能である、つまり、赤外線信号を用いてテレビ４０を操作可能であると判断すると、赤外線通信部１４から電源投入やチャンネル切替えのための赤外線信号を送信する（ステップＳ１７）。テレビ４０は、受信した赤外線信号に従って、チャンネル切替え等を行う。
【００５１】
機器操作部１９は、ステップＳ１６で、携帯端末１０がテレビ４０との間で赤外線通信が可能でないと判断されると、ステップＳ６で選択された視聴方法が、「テレビ視聴」であるか、「テレビ視聴又は録画」であるかを判断する（ステップＳ１８）。ユーザが、視聴方法として「テレビ視聴」を選択していたにもかかわらず、携帯端末１０がテレビ４０と赤外線通信可能でないということは、ユーザは、現在、テレビ４０を視聴できる状態にないことを意味している。この場合には、機器操作部１９は、ＵＩ部１３によって、ユーザにアラームを通知する（ステップＳ１９）。
【００５２】
機器操作部１９は、ステップＳ１８で、視聴方法が「テレビ視聴又は録画」が選択されていたと判断すると、ステップＳ１５で測定した携帯端末１０の位置に基づいて、ユーザが自宅（テレビ４０が設置された場所と同じ建物）内にいるか否かを判断する（ステップＳ２０）。ステップＳ２０では、例えば記憶部９０に自宅位置を記憶しておき、その自宅位置と携帯端末１０の位置とを比較することにより、ユーザが自宅内にいるか否かを判断する。或いは、ステップＳ１６で計算された携帯端末１０とテレビ４０との間の距離から、携帯端末１０が、テレビ４０の赤外線通信可能範囲よりも広く、かつ、所定の範囲よりも狭い範囲内に存在するか否かを判断することで、自宅内にいるか否かを判断してもよい。
【００５３】
ステップＳ２０で、自宅にいないと判断された場合には、ユーザは外出しており、テレビ４０を見ることができない。この場合には、実行制御部１６は、ステップＳ１１と同様な動作により、無線通信部１２を用いて、ネットワーク７０及びＰＣ２０を介して、録画装置３０に録画を要求する（ステップＳ２１）。録画装置３０は、この要求に従って番組を録画する。一方、ステップＳ２０で自宅内にいると判断されたときには、ステップＳ１９へ移行して、ユーザにアラームを通知する。ユーザは、このアラームの通知により、予約していた番組があったことを思い出してテレビ４０の前まで移動することにより、番組を視聴できる。その後、テレビ視聴又は録画のためのアプリケーションを終了して処理を完了する。
【００５４】
本実施形態では、携帯端末１０は、赤外線通信可能判定部１８（図２）により、端末位置と制御対象の録画装置３０又はテレビ４０の位置とに基づいて、録画装置３０又はテレビ４０が、赤外線通信可能範囲内に存在するか否かを判定する。機器操作部１９は、赤外線通信可能範囲内であれば、赤外線信号により、録画装置３０又はテレビ４０を遠隔操作する。このようにすることで、赤外線通信部１４と録画装置３０又はテレビ４０との間の赤外線通信の通信ミスを防ぐことができる。また、赤外線通信可能範囲外であって、制御対象機器がネットワーク７０を介して遠隔操作可能である場合には、ネットワーク７０を介して、その制御対象機器を遠隔操作する。このように、赤外線信号による遠隔操作が不可能なときは、自動的に別のルートで遠隔操作を行うことにより、遠隔操作の確実性を高めることができる。
【００５５】
本実施形態では、ユーザが、視聴方法として「視聴又は録画」を選択した場合には、携帯端末１０（ユーザ）がテレビ４０との間で赤外線通信可能範囲内であれば、携帯端末１０から赤外線信号を送信してテレビ４０を操作して、電源投入や、チャンネル切替を実行する。赤外線通信可能範囲外であれば、所定の条件で、ネットワーク７０を介して録画装置３０を遠隔操作し、自動的に、録画を実行させる。このように、本実施形態では、一度の予約で、放送開始時のユーザの位置に応じて、録画装置３０又はテレビ４０を遠隔操作できる。これにより、ユーザが、視聴したい放送番組が放映される時間に自宅にいるか否かが予測できない場合に、自宅にいないことを想定して、あらかじめ録画装置３０を録画予約しておく必要がなくなり、録画予約やその解除の手間を省くことができる。また、自宅にいるであろうと思って録画予約をしなかったところ、実際には自宅に戻れずに、視聴したい番組を見逃す事態を回避できる。
【００５６】
なお、上記実施形態では、制御対象機器としては、録画装置３０とテレビ４０とを例に挙げて説明したが、その他の機器であってもよい。記憶部９０（図２）に、制御対象機器である録画装置３０又はテレビ４０のそれぞれの位置情報を記憶する例について説明したが、録画装置３０とテレビ４０とは同じ部屋に設置されている場合も多いため、何れか一方の位置情報のみを記憶しておいてもよい。例えば、記憶部９０にテレビ４０の位置情報のみを記憶しておき、ステップＳ９で、携帯端末１０の位置とテレビ４０の位置情報とに基づいて、録画装置３０が赤外線通信可能範囲内か否かを判断してもよい。
【００５７】
ステップＳ６（図３）でユーザによって選択される予約種別としては、「録画」、「テレビ視聴」、及び、「テレビ視聴又は録画」の３つを考えた。しかしながら、ユーザに、特に予約種別の入力を求めずに、「テレビ視聴又は録画」が選択されたものとして、ステップＳ７以降の処理を行ってもよい。また、テレビ４０が赤外線通信可能範囲外で、かつ、予約種別が「テレビ視聴又は録画」である場合には、ステップＳ２０で、ユーザが自宅にいるか否かを判断する例について示したが、この判断を行わずに、そのままステップＳ２１へ移行して、録画装置３０の録画予約を行ってもよい。ステップＳ２のキーワード入力や、ステップＳ５の番組選択、ステップＳ６の視聴方法の選択では、携帯端末１０が音声認識機能を有する場合には、その音声認識機能を使用して行うことができる。
【００５８】
以上、本発明をその好適な実施形態に基づいて説明したが、本発明の予約システム、方法、プログラム、及び、携帯端末装置は、上記実施形態例にのみ限定されるものではなく、上記実施形態の構成から種々の修正及び変更を施したものも、本発明の範囲に含まれる。
【図面の簡単な説明】
【００５９】
【図１】本発明の一実施形態の予約システムの構成を示すブロック図。
【図２】プログラム制御により携帯端末に実現される機能を示すブロック図。
【図３】予約システムの動作手順を示すフローチャート。
【符号の説明】
【００６０】
１００：予約システム
１０：携帯端末
１１：位置測定部
１２：無線通信部
１３：ＵＩ部
１４：赤外線通信部
１５：スケジュールタイマー機能
１６：実行制御部
１７：予約入力部
１８：赤外線通信可能判定部
１９：機器操作部
２０：ＰＣ
３０：録画装置
４０：テレビ
５０：サーバ
６０：ＧＰＳ
７０：ネットワーク
８０：ＬＡＮ
９０：記憶部
【図１】
2007221466.tif 000003
【図２】
2007221466.tif 000004
【図３】
2007221466.tif 000005